(57)【要約】【課題】本発明は、上記印刷データのデータ量の削減、データ管理の軽減、及び印刷時のデータ通信量の削減することを課題とする。【解決手段】本発明は、データを複数の部品に分割し、部品を目的の印刷結果に合わせ組み合わせて一部分内容の異なるデータを印刷する印刷システムにおいて、印刷の組み合わせによって変更する部分を前記データ作成時に別のデータとして作成し、印刷時に組み合わせに応じて前記データをマージして印刷することを特長とする。【選択図】図１
2004252786.tif 000002
【特許請求の範囲】
【請求項１】
データを複数の部品に分割し、部品を目的の印刷結果に合わせ組み合わせて一部分内容の異なるデータを印刷する印刷システムにおいて、印刷の組み合わせによって変更する部分を前記データ作成時に別のデータとして作成し、印刷時に組み合わせに応じて前記データをマージして印刷することを特長とする印刷システム。
【請求項２】
データを複数の部品に分割し、部品を目的の印刷結果に合わせ組み合わせて一部分データ内容の異なるデータを印刷する印刷システムにおいて、複数のイメージデータを格納する手段と、該イメージデータをプリンタ上でマージする手段と、その組み合わせを指定するデータとを持ち、指定により前記イメージデータの組み合わせを変更して印刷を行うことを特長とする印刷装置。
【発明の詳細な説明】
【０００１】
【発明の属する技術分野】
本発明は、印刷システム、特に内容の一部異なる印刷物を必要に応じて、複数印刷する印刷システムと印刷装置に関する。
【０００２】
【従来の技術】
商品のマニュアルなどは、商品のオプション構成や、バージョンの相違などにより一部の相違したドキュメントが多数存在する場合がある。このような場合各印刷内容に応じて内容の異なる印刷データを作成し、印刷する必要があった。
【０００３】
【発明が解決しようとする課題】
本発明は、上記印刷データのデータ量の削減、データ管理の軽減、及び印刷時のデータ通信量の削減することを課題とする。
【０００４】
【課題を解決するための手段】
上記課題は、データを複数の部品に分割し、部品を目的の印刷結果に合わせ組み合わせて一部分内容の異なるデータを印刷する印刷システムにおいて、印刷の組み合わせによって変更する部分を前記データ作成時に別のデータとして作成し、印刷時に組み合わせに応じて前記データをマージして印刷することによって解決される。
【０００５】
【発明の実施の形態】
以下本発明の実施例を図面を使用して説明する。
【０００６】
図１は、本発明の構成を示す。上位装置１０で作成されたイメージデータはイメージ部品４０と挿入制御情報５０と挿入イメージデータ６０かなり、プリンタ２０へ送られデータ備蓄用のハードディスク３０へ格納される。イメージ部品４０は、複数のページイメージからなるイメージデータから構成される。印刷時には、プリンタ２０に印刷するイメージ部品を指定する情報と印刷する順番を指定する印刷指示データを送る。プリンタ２０は、ハードディスク３０から指定されたイメージ部品４０を読み出し、印刷する形式のページイメージを展開する。そこに付加する挿入イメージデータ６０を挿入制御情報５０にしたがってページイメージにマージし印刷を行う。
【０００７】
イメージデータは印刷に先立って備蓄され、必要に応じて繰り返し利用される。印刷時は、印刷に使用する印刷指示データのみが送信され、送信するデータ量は少量で済む。
【０００８】
図２は、イメージ部品４０とその挿入制御情報５０、挿入イメージ６０の構成との関連を示す。
【０００９】
イメージ部品４０は複数のページ単位のイメージの集まりであり、挿入制御情報５０は各ページに対応した印刷時に挿入する挿入イメージの種類、挿入位置、及び挿入イメージの更新を示す管理情報の集合である。挿入イメージデータは印刷イメージ全体に対応するイメージデータの集まりであり、データ種ごとに番号付けられている。印刷時には、挿入イメージ種ごとに挿入イメージポインタ７０を用意し、挿入制御情報の更新情報にしたがって更新が指示されているときは挿入イメージデータ６０の番号を更新し、更新指示の無いときは次も同じ番号の挿入イメージを使用して印刷を行う。これで、同じ内容の挿入イメージ同一ページ内に必要なときは、ひとつの挿入イメージを繰り返し使用して印刷することができる。
【００１０】
次に印刷時のプリンタの動作について説明する。前に述べたように本実施例においては、印刷の指示は上位装置１０から印刷指示データをプリンタ２０に送信することで開始される。しかし、印刷指示データも前もってプリンタにロードしどの印刷指示データを使用するかを指定するだけでも同様に印刷できる。
【００１１】
図３は、データ印刷時の処理フローを示す。３１０で挿入イメージデータ６０に対する挿入イメージポインタ７０と印刷イメージの選択を行う。３２０で印刷指示データにより印刷イメージ部品４０を選択し、その先頭のページを指定する。３３０で１ページ分の印刷イメージをページイメージとしてメモリ上に展開する。３４０で挿入イメージデータ６０をマージする。挿入制御情報５０にしたがって挿入イメージデータ６０のデータ種、挿入位置を求めるデータをマージし、マージした後、挿入制御情報内の更新情報を見て、更新が指示されているときは挿入したデータ種の挿入イメージポインタ７０を更新する。１ページの印刷イメージが完成後３５０で印刷を行う。３７０で次のページ用のデータがイメージ部品４０にある場合は３３０へもどる。また印刷指示データで指定されたイメージ部品４０が終了したときは３７０へ進み印刷指示データで次のイメージ部品４０の存在をチェックし、イメージ部品があるときは３２０へ進み、無いときは、印刷を終了する。
【００１２】
イメージデータを作成するときは、章ごとなど印刷する文章の部品単位に作成し、ページ番号や図、表の番号はその位置情報とともに、別情報として作成する。データは複数のオプション構成をまとめて作成する。イメージ部品４０は、各オプションで共通する部分はひとつだけ作成し、異なる部分はそれぞれ必要な分だけ作成する。
【００１３】
挿入イメージデータ７０は、共通に作成しデータ種ごとのデータ数は、最大となるドキュメントに使用する以上の個数を作成する。
【００１４】
イメージ部品４０は、データの変更や印刷処理データの管理単位でありドキュメントの章等単位に作成する。図４を例にしてイメージデータの内容について説明する。この例では、第１章が各オプッション共通で、第２章がオプション構成１，２とオプション構成３で異なり、オプション構成１の時のみ第３章が存在する場合である。また、目次はそれぞれ個別にもつ。このとき作成するイメージ部品は、目次ー１、目次ー２、目次−３、第１章、第２章ー１、第２章ー２、第３章、の７つである。このように内容の重複する部分を複数用意する必要がなく、データ量を削減することができる。
【００１５】
印刷内容を変更するときは、変更するイメージ部品と挿入制御情報、また必要なら挿入イメージデータを変更し、プリンタに変更したデータを変更前と同じ名称でロードしておけばよい。このようにすれば、同じデータの変更を重複して行う必要もなくなり、変更もれを防ぐことができる。
【００１６】
【発明の効果】
本発明によれば、印刷の種類によって変更する部分と共通する部分を分け保持する印刷データ量を削減することができ、データ内容を変更するときも変更した部分のみを修正すればよく、変更データの作成量を削減することができる。
【符号の説明】
１０は上位装置、２０はプリンタ、３０はハードディスク、４０はイメージ部品、５０は挿入制御情報、６０は挿入イメージデータである。
【図面の簡単な説明】
【図１】本発明実施例のシステム構成を示す図。
【図２】本発明実施例のデータ形式を示す図。
【図３】本発明実施例の印刷処理フロー図。
【図４】本発明実施例のイメージ部品の構成例を示す図。
【図１】
2004252786.tif 000003
【図２】
2004252786.tif 000004
【図３】
2004252786.tif 000005
【図４】
2004252786.tif 000006